(57)【要約】  均一に照明することができる照明装置及び表示装置を提供する。  光源部２４の明るさは、導光板２２の周縁方向（図中左右方向）両端部夫々よりも周縁方向中央部の方が強い。このため、光源部２４と反射シート２３の下辺部との離隔距離に関し、光源部２４の周縁方向中央部と反射シート２３の下辺部における周縁方向中央部（即ち凹部２３１）との離隔距離が最長になるようにしてある。すると、光源部２４から導光板２２の内部への直接的な入光量が少ない（又は多い）部分に対応する反射シート２３から導光板２２の内部への反射光量が多くなる（又は少なくなる）。故に、導光板２２の内部への入光総量が周縁方向に均一になる。このため、照明装置による照明を周縁方向に均一にすることができる。
2015041045.tif 000002
【特許請求の範囲】
【請求項１】
内部に入射した光を一面から出射させる導光板と、
該導光板の周面に対向配置されている光源部と、
前記導光板の他面側に配されており、前記光源部が発した光を前記導光板の側へ反射させる反射シートと
を備える照明装置において、
前記光源部と前記反射シートの周縁部との離隔距離は、前記光源部の前記導光板の周縁方向の中央部と前記反射シートの周縁部における前記中央部に対応する部分との離隔距離を最長にしてあることを特徴とする照明装置。
【請求項２】
前記反射シートの周縁部における前記中央部に対応する部分は凹状になしてあることを特徴とする請求項１に記載の照明装置。
【請求項３】
前記光源部の前記周縁方向の中央部と前記反射シートの周縁部における前記中央部に対応する部分との離隔距離は、前記周縁方向の中心部分に係る離隔距離が最長であり、該中心部分から前記周縁方向の両側に向けて連続的に又は段階的に短くなるようにしてあることを特徴とする請求項１又は２に記載の照明装置。
【請求項４】
請求項１から３の何れかひとつに記載の照明装置と、
正面側に表示面を有し、前記照明装置によって背面側から照明される表示パネルと
を備えることを特徴とする表示装置。
【発明の詳細な説明】
【技術分野】
【０００１】
本発明は、光源部が発した光を導光板の一面から出射させる照明装置及び表示装置に関する。
【背景技術】
【０００２】
液晶表示装置は、正面側に表示面を有する液晶表示パネルと、液晶表示パネルの背面側から液晶表示パネルを照明するバックライトユニットとを備える。
以下では、液晶表示パネルが縦姿勢で配されている場合について説明する。
従来、エッジライト方式のバックライトユニットが提案されている（特許文献１参照）。エッジライト方式のバックライトユニットは、液晶表示パネルの背面側に、光学シート群を介して矩形状の導光板を配置し、導光板の背面側に、反射シートを配置し、導光板の下端面に対向して、光源部を配置してなる。光源部は、左右方向に離隔配置された複数個のＬＥＤがＬＥＤ基板の一面に実装されてなる。【０００３】
ＬＥＤが発した光の一部は、導光板の下端面を透過して導光板の内部に入射する。ＬＥＤが発した光の他部は、反射シートに入射する。導光板の内部に入射した光は、導光板の正面から出射する。反射シートに入射した光は、導光板側へ反射する。このとき、反射した光が導光板の内部に入射すれば、この光も導光板の正面から出射する。
導光板の正面から出射した光は、光学シート群による拡散及び集光等を経て、液晶表示パネルの内部に入射する。
バックライトユニットが液晶表示パネルを均一に照明すれば、液晶表示パネルの表示面は均一に明るくなる。【０００４】
しかしながら、各ＬＥＤと導光板との離隔距離にバラツキがあると、各ＬＥＤから導光板への入光量が不均一になる。何故ならば、導光板から遠いＬＥＤが発した光は、導光板に近いＬＥＤが発した光よりも導光板に入射し難いからである。このため、導光板の正面から光が不均一に出射し易くなる。この結果、バックライトユニットによる照明が不均一になり、延いては、液晶表示パネルの表示面の明るさが不均一になる。【０００５】
そこで、先行文献１に記載の表示装置（文中「液晶モジュール」）は、導光板の下部を部分的にＬＥＤ基板に接触させることによって、各ＬＥＤと導光板との離隔距離を一定にしてある。
【先行技術文献】
【特許文献】
【０００６】
【特許文献１】特開２０１２−２３７８２６号公報
【発明の概要】
【発明が解決しようとする課題】
【０００７】
ところで、光源部の明るさは、ＬＥＤの並置方向（即ち左右方向）に不均一である。何故ならば、左右方向中央部に位置するＬＥＤの両側にはＬＥＤが存在するが、左右両端部に位置するＬＥＤの片側にはＬＥＤが存在しないからである。
従って、光源部から導光板の内部へ直接的に入射する光の量も、光源部から反射シートでの反射を経て導光板の内部へ入射する光の量も、左右方向に不均一になる。このため、バックライトユニットによる照明が左右方向に不均一になる。この結果、表示パネルの表示面の左右方向中央部が明るく、左右両端部が暗くなるため、表示面に表示される映像の画質が劣化する。【０００８】
本発明は斯かる事情に鑑みてなされたものであり、その主たる目的は、均一に照明することができる照明装置及び表示装置を提供することにある。
【課題を解決するための手段】
【０００９】
本発明に係る照明装置は、内部に入射した光を一面から出射させる導光板と、該導光板の周面に対向配置されている光源部と、前記導光板の他面側に配されており、前記光源部が発した光を前記導光板の側へ反射させる反射シートとを備える照明装置において、前記光源部と前記反射シートの周縁部との離隔距離は、前記光源部の前記導光板の周縁方向の中央部と前記反射シートの周縁部における前記中央部に対応する部分との離隔距離を最長にしてあることを特徴とする。【００１０】
本発明に係る照明装置は、前記反射シートの周縁部における前記中央部に対応する部分は凹状になしてあることを特徴とする。【００１１】
本発明に係る照明装置は、前記光源部の前記周縁方向の中央部と前記反射シートの周縁部における前記中央部に対応する部分との離隔距離は、前記周縁方向の中心部分に係る離隔距離が最長であり、該中心部分から前記周縁方向の両側に向けて連続的に又は段階的に短くなるようにしてあることを特徴とする。【００１２】
本発明に係る表示装置は、本発明に係る照明装置と、正面側に表示面を有し、前記照明装置によって背面側から照明される表示パネルとを備えることを特徴とする。【００１３】
本発明にあっては、光源部と反射シートの周縁部との離隔距離は、光源部の導光板の周縁方向（以下、単に周縁方向という）の中央部と反射シートの周縁部における光源部の周縁方向の中央部に対応する部分との離隔距離を最長にしてある。
光源部の明るさは、周縁方向の両端部夫々よりも、周縁方向の中央部の方が強い。
このため、光源部の周縁方向の中央部から導光板の内部への直接的な入光量は多く、光源部の周縁方向の両端部夫々から導光板の内部への直接的な入光量は少ない。つまり、光源部から導光板の内部への直接的な入光量は周縁方向に不均一である。【００１４】
一方、光源部の周縁方向の中央部から反射シートへの入光量は従来よりも減少し、光源部の周縁方向の中央部以外から反射シートへの入光量は従来よりも増大する。故に、反射シートから導光板の内部への反射光量は、周縁方向に不均一である。
ただし、光源部から導光板の内部への直接的な入光量が少ない（又は多い）部分に対応する反射シートから導光板の内部への反射光量は多い（又は少ない）。故に、導光板の内部への入光総量が周縁方向に均一になる。
つまり、導光板の内部への入光量を周縁方向に均一にするために、光源部と反射シートとの離隔距離は敢えて周縁方向に不均一にされている。
この結果、照明装置による照明が周縁方向に均一になる。【００１５】
本発明にあっては、反射シートの周縁部における光源部の周縁方向の中央部に対応する部分が凹状になしてある。故に、光源部と反射シートとの離隔距離が周縁方向に不均一になる。
つまり、反射シートの形状を従来のものと異ならせることによって、導光板の内部への入光量を、周縁方向に均一にすることができる。【００１６】
反射シートの形状を従来のものと異ならせることは、例えば光源部の形状を従来のものと異ならせることによりも簡易である。換言すれば、照明装置は、簡易な構成で、導光板の内部への入光量を周縁方向に均一にすることができる。延いては、照明装置は、簡易な構成で、表示パネルの表示面の明るさを周縁方向に均一にすることができる。【００１７】
本発明にあっては、光源部の周縁方向の中央部と反射シートの周縁部における光源部の周縁方向の中央部に対応する部分との離隔距離は、周縁方向の中心部分に係る離隔距離が最長であり、周縁方向の中心部分から周縁方向の両側に向けて連続的に又は段階的に短くなるようにしてある。このような反射シートは、光源部の明るさが周縁方向に対称である場合に特に好適である。
【発明の効果】
【００１８】
本発明の照明装置及び表示装置による場合、光源部と反射シートとの離隔距離を周縁方向に不均一にすることによって、導光板の内部への入光量を周縁方向に均一にすることができる。このため、照明装置による照明を周縁方向に均一にすることができる。延いては、表示パネルの表示面の明るさを周縁方向に均一にすることができる。故に、表示パネルの表示面に表示される映像の画質を向上させることができる。
【図面の簡単な説明】
【００１９】
【図１】本発明の実施の形態１に係る表示装置の構成（反射シートの左端部又は右端部）を模式的に示す縦断面図である。
【図２】表示装置の構成（反射シートの左右方向中央部）を模式的に示す縦断面図である。
【図３】本発明の実施の形態１に係る照明装置としてのバックライトユニットが備える反射シート及び光源部の位置関係を模式的に示す正面図である。
【図４】従来のバックライトユニットが備える反射シート及び光源部の位置関係を模式的に示す正面図である。
【図５】本発明の実施の形態２に係るバックライトユニットが備える反射シート及び光源部の位置関係を模式的に示す正面図である。
【図６】本発明の実施の形態３に係るバックライトユニットが備える反射シート及び光源部の位置関係を模式的に示す正面図である。
【図７】本発明の実施の形態４に係るバックライトユニットが備える反射シート及び光源部の位置関係を模式的に示す正面図である。
【発明を実施するための形態】
【００２０】
以下、本発明を、その実施の形態を示す図面に基づいて詳述する。以下の説明では、図において矢符で示す上下、前後、及び左右を使用する。
【００２１】
実施の形態  １．
図１及び図２は、本発明の実施の形態１に係る表示装置１の構成を模式的に示す縦断面図である。図１及び図２には後述する反射シート２３の下辺部近傍が示されている。且つ、図１には反射シート２３の左端部又は右端部が示されており、図２には反射シート２３の左右方向中央部が示されている。
図３は、本発明の実施の形態１に係る照明装置としてのバックライトユニット１２が備える反射シート２３及び光源部２４の位置関係を模式的に示す正面図である。
【００２２】
本実施の形態の表示装置１は、例えばテレビジョン受信機、電子看板、又は、パーソナルコンピュータ用のモニタ等として構成されている。
まず、表示装置１の構成について説明する。
表示装置１は、表示パネル１１、バックライトユニット（照明装置）１２、バックライトシャーシ１３、ヒートシンク１４、及び、これらを、後述する表示面１１１を露出させた状態で収容する図示しないキャビネット等を備えている。
キャビネットは非透光性を有する。キャビネットに入射した光は、反射シート２３に入射した光に比べて反射し難い。
【００２３】
表示パネル１１は液晶表示パネルを用いてなる。表示パネル１１は、矩形状になしてあり、縦姿勢で配されている。表示パネル１１は矩形状の表示面１１１を正面側に有する。表示パネル１１は、表示面１１１側のガラス基板と背面１１２側のガラス基板とを有する。２枚のガラス基板の間には液晶が封止されている。表示パネル１１の透光率は、表示パネル１１の液晶に印加された電圧に応じて変化する。
バックライトシャーシ１３は非透光性を有する。バックライトシャーシ１３に入射した光は、反射シート２３に入射した光に比べて反射し難い。
【００２４】
バックライトユニット１２は、表示パネル１１と縦姿勢に配された板状のバックライトシャーシ１３との間にて、バックライトシャーシ１３及びキャビネット等によって支持されている。
バックライトユニット１２は、光学シート群２１、導光板２２、反射シート２３、及び光源部２４を有する。
【００２５】
光学シート群２１は、各矩形状の複数枚の光学シートが積層されてなる。光学シート群２１は、表示パネル１１の背面１１２の中央部に密着配置されている。光学シート群２１の上下左右各方向の長さは、表示パネル１１の表示面１１１の上下左右各方向の長さより長い。光学シート群２１は、表示パネル１１の表示面１１１を、背面１１２側から覆っている。光学シート群２１を構成している各光学シートは、光の拡散機能又は集光機能等を有する。
【００２６】
導光板２２は矩形板状になしてある。導光板２２は、例えばアクリル樹脂を用いてなる。導光板２２の上下左右各方向の長さは、表示パネル１１の上下左右各方向の長さよりも大きい。
導光板２２は、導光板２２の内部に入射した光を、導光板２２の正面（一面）２２１から出射させる（即ち面発光する）。このために、導光板２２の背面（他面）２２２には、図示しない複数の反射部が設けられている。反射部は、背面２２２に対してシルク印刷、レーザー印刷、又は賦形等が行なわれることによって設けられる。反射部に入射した光は、正面２２１側へ反射する。導光板２２の内部に入射した光は、導光板２２の正面２２１、背面２２２、又は反射部にて反射し、やがて正面２２１を透過して導光板２２の外部へ出射する。ただし、導光板２２の内部に入射した光の一部が背面２２２を透過する（即ち漏光が生じる）ことがある。
【００２７】
導光板２２の下方には、ヒートシンク１４が配されている。ヒートシンク１４は、バックライトシャーシ１３によって支持されている。ヒートシンク１４に伝導した熱は、表示装置１の外部へ排出される。ヒートシンク１４の上部には、光源部２４が配されている。
光源部２４は、複数個のＬＥＤ２４１，２４１，…とＬＥＤ基板２４２とを備える。
ＬＥＤ基板２４２は非透光性を有し、左右方向に長い横姿勢の矩形状になしてある。
【００２８】
ＬＥＤ２４１，２４１，…は、ＬＥＤ基板２４２の上面にて左右方向に一列に等配実装してある。ＬＥＤ２４１，２４１，…と導光板２２の下端面（周面）２２３とは、適長離隔して対向配置されている。
光源部２４の左端部より左側（又は右端部より右側）にＬＥＤ２４１は存在しない。一方、光源部２４の中央部の左右方向両側には、ＬＥＤ２４１，２４１，…が存在している。故に、光源部２４の中央部における発光量は、光源部２４の左端部（又は右端部）における発光量よりも多い。換言すれば、光源部２４の発光量は左右方向に不均一である。また、光源部２４の発光量は左右対称である。
ＬＥＤ２４１，２４１，…が発した熱は、ＬＥＤ基板２４２を介してヒートシンク１４に伝導する。
【００２９】
反射シート２３は、導光板２２の背面２２２に密着配置されて、導光板２２の背面を完全に被覆している。従って、導光板２２の背面２２２からの漏光は、反射シート２３にて反射し、再び導光板２２の内部に入射する。
反射シート２３は矩形状になしてある。
反射シート２３の左右方向の長さ（以下、横長さという）は、導光板２２の横長さよりも長く、光源部２４の横長さと同程度である。
【００３０】
後述する従来の反射シート２３０とは異なり、反射シート２３の上下方向の長さ（以下、縦長さという）は一定ではない。具体的には、反射シート２３の縦長さは、左右方向中心部分における縦長さが最短であり、左右両端部における縦長さが最長である。反射シート２３の最短の縦長さは、導光板２２の縦長さ以上の長さである。反射シート２３の左右方向中央部では、左右方向中心部分から左右両側に向けて、反射シート２３の縦長さは連続的に長くなる。
つまり、反射シート２３の下辺部（周縁部）における左右方向中央部は、上向きの凹状になしてある。以下では、反射シート２３の下辺部における凹状の部分を、凹部２３１という。凹部２３１の周縁形状は、なだらかな山状をなす。
【００３１】
反射シート２３の下辺部における左右両端部夫々は、ＬＥＤ基板２４２に接近する側に垂下している。本実施の形態では、反射シート２３の下辺部における左右両端部夫々は、ＬＥＤ基板２４２に接触していないが、接触していてもよい。
以上の結果、光源部２４と反射シート２３の下辺部との離隔距離は、光源部２４の左右方向中央部（光源部２４の導光板２２の周縁方向の中央部）と反射シート２３の下辺部における左右方向中央部（反射シート２３の周縁部における、光源部２４の導光板２２の周縁方向の中央部に対応する部分。即ち凹部２３１）との離隔距離が最長である。更に詳細には、凹部２３１の左右方向の中心部分に係る離隔距離は最長であり、凹部２３１の左右方向の中心部分から左右両側に向けて、離隔距離は連続的に短くなる。
【００３２】
なお、反射シート２３の左右方向中央部における縦長さは、左右方向中心部分から左右両側に向けて、段階的に長くなる構成でもよい。
また、凹部２３１の周縁形状は、山状に限定されず、矩形状、半長円状、又は三角形状等でもよい。
【００３３】
次に、バックライトユニット１２による表示パネル１１の照明について説明する。
光源部２４が発した光は、直接的に、又は、反射シート２３にて反射することによって、導光板２２の下端面２２３を透過して導光板２２の内部に入射する。導光板２２の下端面２２３でも反射シート２３でもないところ（例えばキャビネット又はバックライトシャーシ１３等）に入射した光は、吸収されたり散乱したりするため、導光板２２の下端面２２３側へ効率よく反射しない。
導光板２２の内部に入射した光は、導光板２２の正面２２１から出射する。導光板２２から出射した光は、光学シート群２１による拡散及び集光等を経て、表示パネル１１の背面１１２を透過し、表示パネル１１の内部に入射する。
【００３４】
以上のように、表示パネル１１は、バックライトユニット１２によって背面１１２側から照明される。表示パネル１１の内部に入射した光は、表示パネル１１を透過するか、又は、表示パネル１１の通過を遮断される。この結果、表示面１１１に映像が表示される。
【００３５】
次に、バックライトユニット１２の作用効果を説明する。このために、まず、バックライトユニット１２と従来のバックライトユニットとの構成上の差異について説明する。
図４は、従来のバックライトユニットが備える反射シート２３０及び光源部２４の位置関係を模式的に示す正面図である。
従来のバックライトユニットは、バックライトユニット１２と略同様の構成である。ただし、従来のバックライトユニットは、反射シート２３に替えて、矩形状の反射シート２３０を備えている。
反射シート２３０の横長さは、反射シート２３の横長さに等しい。
反射シート２３０の縦長さは一定である。反射シート２３０の縦長さは、反射シート２３の上下方向の最短長さよりも長く、最長長さ以下の長さである。
【００３６】
従来のバックライトユニットに関し、光源部２４の左右方向中央部における発光量は、光源部２４の左端部（又は右端部）における発光量よりも多い。
従って、光源部２４から直接的に導光板２２の内部へ入射する光の量に関し、導光板２２の左右方向中央部に係る入光量は、導光板２２の左端部（又は右端部）に係る入光量よりも多い。
同様に、光源部２４から反射シート２３０の左右方向中央部への入光量は、光源部２４から反射シート２３０の左端部（又は右端部）への入光量よりも多い。故に、反射シート２３０での反射を経て導光板２２の内部へ入射する光の量に関し、導光板２２の左右方向中央部に係る入光量は、導光板２２の左端部（又は右端部）に係る入光量よりも多い。
【００３７】
このため、導光板２２の面発光が左右方向に不均一になる。具体的には、導光板２２の左右方向中央部が明るく、左右両端部夫々が暗くなる。
導光板２２の面発光に係る左右方向の不均一さが光学シート群２１の拡散機能によって解消されない場合、従来のバックライトユニットによる照明は左右方向に不均一になる。従って、表示パネル１１の表示面１１１の明るさが左右方向に不均一になる。
【００３８】
ところで、反射シート２３０を、縦長さが下方向へ1.5mm 長い反射シート２３０に替えた場合、導光板２２の面発光の輝度は18％増大する。これは、反射シート２３０から光源部２４までの距離の短／長と、導光板２２の面発光の輝度の高／低とが相関関係にあることを示している。
つまり、光源部２４から反射シート２３０までの距離が近い（又は遠い）ほど、反射シート２３０での反射を経て導光板２２の内部へ入射する光の量が多く（又は少なく）なり、導光板２２の面発光の輝度が高く（低く）なる。何故ならば、光源部２４から反射シート２３０までの距離が近い（又は遠い）ほど、光源部２４から反射シート２３０に光が入射し易く（入射し難く）なり、光が入射し易い（入射し難い）ほど、反射シート２３０への入光量、更には反射シート２３０からの反射光量が多く（少なく）なるからである。
【００３９】
さて、バックライトユニット１２に関しても、光源部２４の左右方向中央部における発光量は、光源部２４の左端部（又は右端部）における発光量よりも多い。従って、光源部２４から直接的に導光板２２の内部へ入射する光の量に関し、導光板２２の左右方向中央部に係る入光量は、導光板２２の左端部（又は右端部）に係る入光量よりも多い。
ところが、光源部２４から反射シート２３の左右方向中央部への入光量は、光源部２４から反射シート２３の左端部（又は右端部）への入光量よりも少ない。何故ならば、光源部２４の左右方向中央部から反射シート２３の左右方向中央部までの距離が、光源部２４の左端部（又は右端部）から反射シート２３の左端部（又は右端部）までの距離よりも遠いからである。故に、反射シート２３での反射を経て導光板２２の内部へ入射する光の量に関し、導光板２２の左右方向中央部に係る入光量は、導光板２２の左端部（又は右端部）に係る入光量よりも少ない。
【００４０】
以上の結果、導光板２２の内部への入光総量は、左右方向に均一になる。これは、いわば、光源部２４から導光板２２の内部への直接的な入光量に係る左右方向の不均一さが、光源部２４から導光板２２の内部への反射シート２３を経た入光量に係る左右方向の不均一さによって補完されたためである。
このため、導光板２２の面発光が左右方向に均一になる。故に、バックライトユニット１２による照明は左右方向に均一になる。従って、表示パネル１１の表示面１１１は左右方向に均一に明るくなる。
【００４１】
以上のようなバックライトユニット１２を備える表示装置１は、表示パネル１１の表示面１１１が左右方向に均一に明るいため、表示面１１１に表示される映像の画質が向上する。
【００４２】
なお、バックライトユニット１２が反射シート２３０を備えている場合、光源部２４のＬＥＤ基板２４２に替えて、左右方向中央部が下方へ湾曲しているＬＥＤ基板、又は左右方向中央部が左右両端部よりも下方に位置する階段状に設けられているＬＥＤ基板等を備えていてもよい。このような構成であれば、反射シート２３０の左右方向中央部と光源部２４の左右方向中央部とが相対的に離隔し、反射シート２３０の左右両端部と光源部２４の左右両端部とが相対的に接近するため、導光板２２の内部への入光総量を左右方向に均一化することができる。
しかしながら、このようなＬＥＤ基板は一般的ではない。しかも、ＬＥＤ基板の配置スペースが上下方向に増大してしまう。従って、本実施の形態のように、反射シート２３を用いる方が有利である。
【００４３】
本実施の形態では、光源部２４の発光量が左右対称であるため、反射シート２３も左右対称形状になしてある。故に、光源部２４の発光量が左右非対称であれば、反射シート２３も左右非対称形状になしてあってもよい。
また、本実施の形態では、光源部２４は、導光板２２の下端面２２３に対向配置されている。しかしながら、バックライトユニット１２は、導光板２２の下端面２２３に替えて、又は導光板２２の下端面２２３に対向配置された光源部２４と共に、導光板２２の上端面に対向配置された光源部２４を備えていてもよい。この場合、反射シート２３の上辺部に、凹部２３１に相当するものを設ければよい。
【００４４】
実施の形態  ２．
図５は、本発明の実施の形態２に係るバックライトユニット１２が備える反射シート２３及び光源部２４の位置関係を模式的に示す正面図である。図５は、実施の形態１の図３に対応する。
本実施の形態のバックライトユニット１２は、実施の形態１のバックライトユニット１２と略同様の構成である。以下では、実施の形態１との差異について説明し、その他、実施の形態１に対応する部分には同一符号を付してそれらの説明を省略する。
【００４５】
一般に、表示パネル１１の表示面１１１の左右両端部には、左右方向中央部に比べて、重要な映像が表示されることが少ない。故に、ユーザによっては、表示面１１１が左右方向に全面的に均一に明るいことよりも、重要な映像が表示される範囲が均一に明るいことを所望する場合がある。このようなユーザにとっては、表示面１１１の左右両端部は、従来通り左右方向中央部よりも比較的暗い方が好ましい。
このために、本実施の形態の反射シート２３は、実施の形態１の反射シート２３とは異なり、凹部２３１を有していない。
【００４６】
反射シート２３の横長さを横長さＷとした場合、反射シート２３の下辺部には、左右両端部から距離｛Ｗ／９｝の位置に、凸部２３２，２３２が設けてある。凸部２３２，２３２間は凹部２３３であり、凸部２３２，２３２よりも左側及び右側は凹部２３４，２３４である。
従って、光源部２４と反射シート２３の下辺部との離隔距離に関し、光源部２４の左右方向中央部と反射シート２３の下辺部における左右方向中央部（即ち凹部２３３）との離隔距離、及び、光源部２４の左右両端部と反射シート２３の下辺部における左右両端部（即ち凹部２３４，２３４）との離隔距離は、何れも最長である。
【００４７】
このような反射シート２３を用いた場合、導光板２２の面発光は、左右両端部の狭い範囲が比較的暗く、左右方向中央部の広い範囲が比較的明るく且つ均一になる。この結果、表示パネル１１の表示面１１１の明るさをユーザの所望するものにすることができる。
【００４８】
実施の形態  ３．
図６は、本発明の実施の形態３に係るバックライトユニット１２が備える反射シート２３及び光源部２４の位置関係を模式的に示す正面図である。図６は、実施の形態２の図５に対応する。
本実施の形態のバックライトユニット１２は、実施の形態２のバックライトユニット１２と略同様の構成である。以下では、実施の形態２との差異について説明し、その他、実施の形態２に対応する部分には同一符号を付してそれらの説明を省略する。
実施の形態２の場合、凸部２３２，２３２の配置位置は、反射シート２３の左右両端部から距離｛Ｗ／９｝の位置であるが、本実施の形態の場合、凸部２３２，２３２の配置位置は、反射シート２３の左右両端部から距離｛Ｗ／４｝の位置である。
【００４９】
このような反射シート２３を用いた場合も、導光板２２の面発光は、左右両端部が比較的暗く、左右方向中央部が比較的明るく且つ均一になる。ただし、左右両端部の比較的暗い範囲は、実施の形態２の場合よりも広く、左右方向中央部が比較的明るい範囲は、実施の形態２の場合よりも狭い。
【００５０】
実施の形態２，３からわかるように、反射シート２３の形状を適切に設計することによって、導光板２２の面発光を、必要な範囲において均一にすることができる。故に、バックライトユニット１２は必要な範囲を均一に照明することができる。この結果、表示装置１は、表示面１１１に表示される映像の画質を、ユーザの望む通りに向上させることができる。
【００５１】
実施の形態  ４．
図７は、本発明の実施の形態４に係るバックライトユニット１２が備える反射シート２３及び光源部２４の位置関係を模式的に示す正面図である。図７は、実施の形態１の図３に対応する。
本実施の形態のバックライトユニット１２は、実施の形態１のバックライトユニット１２と略同様の構成である。以下では、実施の形態１との差異について説明し、その他、実施の形態１に対応する部分には同一符号を付してそれらの説明を省略する。
【００５２】
実施の形態１のバックライトユニット１２は、導光板２２の下方に光源部２４が配されているエッジライト方式である。
一方、本実施の形態のバックライトユニット１２は、導光板２２の左右両側方に光源部２５，２５が配されているサイドエッジライト方式である。
このため、バックライトユニット１２は、実施の形態１の光源部２４及びヒートシンク１４に替えて、光源部２５，２５及び光源部２５，２５夫々に係る排熱を担う図示しないヒートシンクを備えている。
また、反射シート２３は、実施の形態１の反射シート２３とは異なり、凹部２３１に替えて、凹部２３５，２３５を有している。
【００５３】
各光源部２５は、光源部２４のＬＥＤ２４１，２４１，…及びＬＥＤ基板２４２と略同様のＬＥＤ２５１，２５１，…及びＬＥＤ基板２５２を備える。
ＬＥＤ基板２５２は非透光性を有し、上下方向に長い縦姿勢の矩形状になしてある。ＬＥＤ基板２５２は、一面を導光板２２の側端面（左側端面又は右側端面）に向けて配されている。
ＬＥＤ２５１，２５１，…は、ＬＥＤ基板２５２の一面にて左右方向に一列に等配実装してある。ＬＥＤ２５１，２５１，…と導光板２２の側端面とは、適長離隔して対向配置されている。
光源部２５の発光量は上下方向に不均一である。また、光源部２５の発光量は上下対称である。
【００５４】
反射シート２３の横長さは上下方向に不均一である。このために、反射シート２３の左辺部における上下方向中央部は、右向きの凹状になしてある。同様に、反射シート２３の右辺部における上下方向中央部は、左向きの凹状になしてある。凹部２３５，２３５は、反射シート２３の左右両辺部における凹状の部分である。
光源部２５，２５が発した光は、直接的に、又は、反射シート２３にて反射することによって、導光板２２の両側端面を透過して導光板２２の内部に入射する。
【００５５】
以上のようなバックライトユニット１２及び表示装置１は、実施の形態１のバックライトユニット１２及び表示装置１と同様の作用効果を、上下方向に奏する。
即ち、導光板２２の上下両端部夫々において、光源部２５から導光板２２の内部への直接的な入光量に係る上下方向の不均一さが、光源部２５から導光板２２の内部への反射シート２３を経た入光量に係る上下方向の不均一さによって補完され、導光板２２の内部への入光総量が、上下方向に均一になる。
このため、導光板２２の面発光が上下方向に均一になる。故に、バックライトユニット１２による照明は上下方向に均一になる。従って、表示パネル１１の表示面１１１は上下方向に均一に明るくなる。
【００５６】
以上のようなバックライトユニット１２を備える表示装置１は、表示パネル１１の表示面１１１が上下方向に均一に明るいため、表示面１１１に表示される映像の画質が向上する。
なお、バックライトユニット１２は、左側（又は右側）の光源部２５のみを備えている構成でもよい。この場合、反射シート２３の右側（又は左側）の凹部２３５を設ける必要はない。
【００５７】
本発明の実施の形態に係る照明装置は、表示装置１に組み込まれるバックライトユニット１２のようなものに限定されない。例えば、照明装置は、携帯電話機又は携帯情報端末装置等が備える表示部のバックライトユニットとして構成されていてもよい。或いは、照明装置は、シーリングライト又は壁掛け照明器具等として構成されていてもよい。シーリングライトとして構成されている場合、例えば導光板が正面を下向きにして横姿勢で配されていてもよい。
【００５８】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、表示装置１又はバックライトユニット１２に、実施の形態１〜４に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００５９】
１    表示装置
１１  表示パネル
１２  バックライトユニット（照明装置）
２２  導光板
２３  反射シート
２４，２５  光源部
【図１】
2015041045.tif 000003
【図２】
2015041045.tif 000004
【図３】
2015041045.tif 000005
【図４】
2015041045.tif 000006
【図５】
2015041045.tif 000007
【図６】
2015041045.tif 000008
【図７】
2015041045.tif 000009
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
内部に入射した光を一面から出射させる導光板と、
該導光板の周面に対向配置されている光源部と、
前記導光板の他面側に配されており、前記光源部が発した光を前記導光板の側へ反射させる反射シートと
を備える照明装置において、
前記光源部と前記反射シートの周縁部との離隔距離は、前記光源部の前記導光板の周縁方向の中央部と前記反射シートの周縁部における前記中央部に対応する部分との離隔距離を最長にしてあり、
前記光源部から前記導光板の内部への直接的な入光量と該光源部から該導光板の内部への前記反射シートを経た入光量との光総量が、該導光板の前記周縁方向に均一であることを特徴とする照明装置。
【請求項２】
前記反射シートの周縁部における前記中央部に対応する部分は凹状になしてあることを特徴とする請求項１に記載の照明装置。
【請求項３】
前記光源部の前記周縁方向の中央部と前記反射シートの周縁部における前記中央部に対応する部分との離隔距離は、前記周縁方向の中心部分に係る離隔距離が最長であり、該中心部分から前記周縁方向の両側に向けて連続的に又は段階的に短くなるようにしてあることを特徴とする請求項１又は２に記載の照明装置。
【請求項４】
請求項１から３の何れかひとつに記載の照明装置と、
正面側に表示面を有し、前記照明装置によって背面側から照明される表示パネルと
を備えることを特徴とする表示装置。
【国際調査報告】
2015041045.tif 000010
2015041045.tif 000011